(57)【要約】【課題】サイフォン排水システムに最適な排水用管材を提供するもので、サイフォン排水システムの排水用管材内の排水の流れを十分考慮して排水用管材の形状を特定した。【解決手段】サイフォン排水システムにおいて水頭差をもって配置されるサイフォン排水用管材であって、断面形状が角形であるサイフォン排水用管材であって、断面形状が、正方形、長方形、台形、三角形、六角形、菱形の角形であることを特徴とする排水用管材。３‥断面が正方形の排水用管材、Ａ‥固形物、Ｗ‥排水。【選択図】図５
2007332605.tif 000002
【特許請求の範囲】
【請求項１】
サイフォン排水システムに用いられる排水用管材であって、断面形状が角形であることを特徴とするサイフォン排水用管材。
【請求項２】
角形状が、正方形、長方形、台形、三角形、六角形、菱形である請求項１記載のサイフォン排水用管材。
【請求項３】
水頭差をもって配置される部位に用いられる請求項１又は２記載のサイフォン排水用管材。
【請求項４】
パイプシャフトスペ−ス内を垂下する部位に用いられる請求項３記載のサイフォン排水用管材。
【請求項５】
複数のサイフォン排水用管材が樹脂にて一体に成形された請求項１又は２記載のサイフォン排水用管材。
【発明の詳細な説明】
【技術分野】
【０００１】
本発明は、サイフォン排水システムの、特にサイフォン排水用管に用いられる管材（以下、問題のない限り単に排水用管材という）に関するものである。
【背景技術】
【０００２】
従来の勾配排水システムでは、断面形状が円形或いは楕円形（以下、円形にて代表する）である排水用管材が用いられていた。これは、排水用管材内の排水と共に流れ来る固形物が滞留しないように、排水用管材を円形にすることでなるべく同じ流量が流れた時に水深を深くして固形物を流しやすくするためであり、固形物が水深の深い真ん中部分に集まって来ることを目的として円形の排水用管材が用いられていたものである。
【０００３】
近年、サイフォン排水システムが開発されたが、これも排水用管材のサイズ自体は小さくなったものの、従来の勾配排水システムの場合と同様に２０Ａ程度の円形断面の排水用管材が用いられていた。
【０００４】
しかるに、円形である排水用管材を使用することは運搬の際に嵩張ったり、収まりが悪いこともあり、更に、排水用管材の敷設の際にもスペ−スが多く必要となり、敷設作業にも時間がかかることが多かった。又、排水用管材を束ねて配管する等という技術思想はなく、特に従来のシステムにあっては、排水管が垂下する等ということはなく、かかる部位の考察は全くなかった。
【発明の開示】
【発明が解決しようとする課題】
【０００５】
本発明は、サイフォン排水システムに最適な排水用管材を提供することを目的とするものであり、サイフォン排水システムの排水用管材内の排水の流れを十分考慮して排水用管材の形状を特定したもので、特に、排水用管材の垂下部分にこれを適用することが最大のメリットとなる。
【課題を解決するための手段】
【０００６】
本発明は、サイフォン排水システムに用いられる排水用管材であって、断面形状が角形であることを特徴とするサイフォン排水用管材を提供するものであり、水頭差をもって配置される部位、例えば、パイプシャフトスペ−ス内を垂下する部位に用いられるサイフォン排水用管材である。そして、排水用管材の断面形状は正方形、長方形、台形、三角形、六角形、菱形等の形状が挙げられる。
【発明の効果】
【０００７】
本発明の排水用管材を採用することにより、サイフォン排水システムの排水処理量が向上し、しかも排水用管材の敷設時の装着手段が簡便となるものであり、角形の辺を利用して束ねて配管でき、特にパイプシャフトスぺ−ス内の配管の面で有利なものとなる。
【発明を実施するための最良の形態】
【０００８】
サイフォン排水システムについて言えば、排水用管材内の排水の流れ方や仕組みが従来の勾配排水システムとは全く異なるものである。サイフォン排水システムは常に排水用管材内を排水が満流にて流れるシステムである。
【０００９】
先ず、サイフォン排水システムにおいて排水用管材がスラブ上を横引きされた際を考えると、従来のように固形物を中心付近に集めて水深を深い状態とする必要がない。即ち、横引きされた排水用管材内のどこの部分でも同じ流速で流れるために、固形物もどの部分にあっても押し流される。このことは、排水用管材内のどの部分に固形物が滞留しようとも排水の際には満流で一度に押し流されるので、従来の排水システムのように水深が浅いところに滞留してしまうということがない。
【００１０】
そして、サイフォン排水システムでの処理流量は、排水用管材の長さ、合流部までの落とし込み高さ（水頭差）が同じであれば、おおよそ排水用管材の断面積によって処理流量が決まってくる。従って、断面形状が異なろうとも断面積が同じであれば処理流量は変わらないこととなる。
【００１１】
排水用管材の断面が円形である必要性は勾配排水システムにおいてのメリットから来るものであり、サイフォン排水システムにおいては特にメリットはない。このような理由から、サイフォン排水システムにおいては、排水用管材は円形である必要はなく、角形であっても良いことが明らかとなったもの、納まりも良くなった。
【００１２】
そして、サイフォン排水システムにおいて排水用管材を角形とすることにより大きなメリットが生み出されたものである。即ち、例えば内径寸法が２０ｍｍの円形の排水用管材で処理できる流量を、正方形の排水用管材であれば、１７．８ｍｍ角程度の正方形の排水用管材で処理可能となったものである。
【００１３】
又、円形の排水用管材の高さと同じ高さの排水用管材で角形形状にすれば、処理可能流量は、１．２〜１．５倍程度の処理が可能となったものである。このように、同じ処理流量を処理するのであれば、省スぺ−ス化が進められる。同じ納まりであれば、処理流量を上げられるというメリットがある。
【００１４】
更に、排水用管材のスラブ上への敷設の際にも、スラブに排水用管材の角形の一辺を接触させて敷設できるため、円形の場合と比べて安定感は十分であり、敷設に対する各種の止め金具部材が簡便、小型化が図られ得る。勿論、複数本の管を束ねて配管する際には排水用管材の一辺を接触させて配管でき、省スぺ−スは勿論であるが、敷設の手段も省力化可能となる。
【００１５】
次に、排水用管材が水頭差をもって配置される部位、特に言えば、パイプシャフトスペ−ス内を垂下する部位に用いられる際には、排水立て管に合流するまで原則として排水用管材がそのまま垂下する形態をなす。このため、パイプシャフトスぺ−スが従来の排水システムよりも場合によっては広くする必要があった。又、排水用管材がそのまま垂下しているため、メンテナンス時にはやや不具合な面もあった。
【００１６】
しかしながら、排水用管材を角形とすることにより前記したように排水用管材の各辺を合わせて複数の管を束ねることが可能となったものであり、このことによりパイプシャフトスぺ−スを広くすることは要せず、しかも整然と配置できることとなったものである。尚、排水用管材は横引きの部位では際は束ねることはせず、垂下部に至って束ねてしまうことができることは勿論である。
【００１７】
本発明の排水用管材の最大のメリットはこの垂下部に用いるところにあり、これによって排水立て管を配置するパイプシャフトスぺ−スが狭くでき、又、メンテナンス管理も容易となることは明らかである。
【００１８】
更に言えば、排水用管材の運搬や保管に関しても、円形であることはそれだけスぺ−スが必要となるのに対し、角形の排水用管材であれば無駄なスぺ−スが存在せず、運搬時も荷崩れ等が起こらず安全に運べるというメリットがある。
【００１９】
尚、用いられる排水用管材の種類は一種類でなくともよく、適当な複数の種類の排水用管材を用い、これを束ね合わせることができることは言うまでもなく、場合によっては、束ねられた形態として排水用管材構造を射出成形等で一体的に製造してもよいことは勿論である。
【実施例】
【００２０】
図９は本発明のサイフォン排水システムの全体図である。１１は排水立て管、１２は排水用管、１３は合流部、１４は水廻り器具、Ｓはスラブである。即ち、水廻り器具１４からの排水はスラブＳ面に添って配置（無勾配）された排水用管１２にて行われ、かかる排水用管１２はスラブＳ面に添って横引き配置（Ｘ部）され、排水立て管１１が収納されるパイプシャフトスぺ−ス１５内で垂下（Ｙ部）し、水頭差Ｈｓをもって備えられた合流部１３につながるものである。
【００２１】
本発明の排水用管は上記のＸ部及びＹ部のいずれにも採用可能であるが、先ず、横引きされた排水用管材（Ｘ部）に使用された管材について言及する。勾配排水システムにおける断面が円形の排水用管材と正方形の排水用管材をもって説明する。図１は円形の排水用管材１、図２は三角形の排水用管材２の例であり、各排水用管材１、２内には固形物Ａが流れ込んだ例である。排水用管材１では固形物Ａが排水用管材１の中央の最も水深の深い位置に集中するため排水Ｗにより流れやすい。
【００２２】
一方、排水用管材２にあっては、排水用管材２の底部が平坦であるため、固形物Ａは排水中に沈むことなく、通常の排水Ｗでは流れにくい状態が分かる。このことから、通常の勾配排水システムでは排水用管材に水深の深い部分を構成してこの部位に固形物Ａを滞留させる必要があり、このため、正方形の排水用管材や三角形の平面を下側に設置する施工方法では不都合であり、円形の排水用管材が用いられるものである。
【００２３】
尚、図２の三角形の排水用管材２は特許文献１に記載されているが、この発明も三角形の一つの頂部を下向きにする逆三角形状の構成である。これは、従来の勾配排水システムによるものだからこのように配置しなくてはならないことが示されている例である。
【００２４】
【特許文献１】特開２０００−１９９２４９号公報
【００２５】
次に、サイフォン排水システムの場合、図３は円形の排水用管材１の、図４は三角形の排水用管材２の場合を示すものである。勿論、排水用管材１及び２内は排水Ｗが満流にて流れることとなる。従って、固形物Ａが水深の深い部分（図３）にあろうと、水深が浅い部分（図４）にあろうと、いずれも固形物Ａは満流にて流されてしまうことが分かる。このように、排水Ｗは満流にて流れることにより、固形物Ａの位置は水深にかかわらずいずれの位置にあっても構わず、底部が平坦な角形状の排水用管材であっても良いことが分かる。
【００２６】
図５は断面が正方形の管材３、図６は長方形の排水用管材４、図７は六角形の排水用管材５、図８は長方形の排水用管材の変形例４ａである。これらの排水用管材のスラブ上での配置は自由であり、又、これらの排水用管材をどう重ね合わせても自由である。特に、図８にあっては、排水用管材４ａ、４ｂ同士が嵌り合う構造となっており、敷設の際に極めて便利である。
【００２７】
本発明の排水用管は上記のＹ部にも採用可能であるが、垂下された排水用管材（Ｙ部）に使用された管材について言及する。勾配排水システムにおいては、排水用管が垂下されて設置することはあり得ないが、本発明にあっては、前記したように、これら排水用管材を組み合わせて束状にして配置する部位は垂下部位が最も有効であることは言うまでもない。
【００２８】
即ち、例えば、図５〜図８にて示すような組み合わせ状態で、パイプシャフトスぺ−ス内に配置することにより省スペ−スが達成できたものである。尚、先にも述べたが、樹脂にて一体成形が可能であり、こうすることによりスペ−ス的にも配管作業上でも、メンテナンス作業上も極めてやりやすくなったという大きな特徴がある。
【産業上の利用可能性】
【００２９】
本発明は、サイフォン排水システムの排水用管材の改良であり、これによってサイフォン排水システムの排水処理量が向上し、しかも排水用管材の敷設時の改良が達成されるものであり、しかもパイプシャフトスぺ−ス内が整然とするため、スペ−スが狭くて済む上に、メンテナンス時の作業の容易さも特徴であり、サイフォン排水システムとしてその利用価値は極めて高い。
【図面の簡単な説明】
【００３０】
【図１】図１は勾配排水システムにおける断面が円形の排水用管材である。
【図２】図２は勾配排水システムにおける断面が  三角形の排水用管材である。
【図３】図３はサイフォン排水システムにおける断面が円形の排水用管材である。
【図４】図４はサイフォン排水システムにおける断面が三角形の排水用管材である。
【図５】図５はサイフォン排水システムにおける断面が正方形の排水用管材である。
【図６】図６はサイフォン排水システムにおける断面が六角形の排水用管材である。
【図７】図７はサイフォン排水システムにおける断面が長方形の排水用管材である。
【図８】図８はサイフォン排水システムにおける断面が長方形の排水用管材の変形例である。
【図９】図９は本発明のサイフォン排水システムの全体図である。
【符号の説明】
【００３１】
１、２、３、４、４ａ、５‥排水用管材、
１１‥排水立て管、
１２‥排水用管、
１３‥合流部、
１４‥水廻り器具、
Ａ‥固形物、
Ｈｓ‥水頭差、
Ｓ‥スラブ、
Ｗ‥排水、
Ｘ‥排水用管材の横引き部位、
Ｙ‥排水用管材の垂下部位。
【図１】
2007332605.tif 000003
【図２】
2007332605.tif 000004
【図３】
2007332605.tif 000005
【図４】
2007332605.tif 000006
【図５】
2007332605.tif 000007
【図６】
2007332605.tif 000008
【図７】
2007332605.tif 000009
【図８】
2007332605.tif 000010
【図９】
2007332605.tif 000011